(57)【特許請求の範囲】
【請求項１】
第１変圧器の２次側に接続される電源側の第１母線と、前記第１変圧器の２次側に接続される接地側の第２母線とを含む交流回路の前記第１母線及び前記第２母線の零相電流を測定する零相変流器の測定結果が入力される制御装置と、
１次側の一端および２次側の一端が前記第２母線に接続され、前記２次側の他端が接地された第２変圧器と、
前記第２変圧器における前記１次側の他端と前記第１母線との間に設けられた第１スイッチと、
前記第２変圧器における前記２次側の一端と前記２次側の他端との間に設けられた第２スイッチと、
を備え、
前記制御装置は、
前記第１および第２スイッチの状態を制御する制御部と、
前記第１変圧器の２次側に設けられている前記第２母線を接地する配線が取り外された状態において、前記第１スイッチがオフし、前記第２スイッチがオンの状態の前記零相電流の第１電流値および前記第１母線の第１電圧値と、前記第１スイッチがオンし、前記第２スイッチがオフの状態の前記零相電流の第２電流値および前記第１母線の第２電圧値と、を取得する取得部と、
前記取得部が取得した取得結果に基づいて、前記第２母線の対地間の抵抗に所定の電圧が印加された際の前記対地間の抵抗に流れる電流を算出する算出部と、
を含むことを特徴とする絶縁診断装置。
【請求項２】
請求項１に記載の絶縁診断装置であって、
前記制御装置は、
前記対地間の抵抗に流れる電流の電流地が所定値より大きいか否かを判定する判定部と、
前記対地間の抵抗に流れる電流の電流値が前記所定値より大きいと判定された場合、警報装置に警報を出力させる警報出力部と、
を更に含むことを特徴とする絶縁診断装置。
【請求項３】
請求項１または請求項２に記載の絶縁診断装置であって、
前記算出部が前記対地間の抵抗に流れる電流を算出する毎に、前記対地間の抵抗に流れる電流が算出された時刻を示す情報と、算出された前記対地間の抵抗に流れる電流の電流値とを記憶する記憶部を更に備えること、
を特徴とする絶縁診断装置。
【請求項４】
請求項３に記載の絶縁診断装置であって、
前記制御装置は、
前記記憶部に順次格納される前記対地間の抵抗に流れる電流の電流値が、連続して所定回数以上増加した場合、所定の表示を表示装置に表示させる表示部を更に含むこと、
を特徴とする絶縁診断装置。
【請求項５】
請求項１〜請求項４の何れか一項に記載の絶縁診断装置であって、
前記第２母線は、単相三線式電線のうちの中性線であり、
前記第１母線は、前記単相三線式電線の前記中性線とは異なる電線の何れか一方であること、
を特徴とする絶縁診断装置。
【請求項６】
第１変圧器の２次側に接続される電源側の第１母線と、前記第１変圧器の２次側に接続される接地側の第２母線とを含む交流回路の前記第１及び第２母線の零相電流を測定する零相変流器と、
前記零相変流器の測定結果が入力される制御装置と、
１次側の一端および２次側の一端が前記第２母線に接続され、前記２次側の他端が接地された第２変圧器と、
前記第２変圧器における前記１次側の他端と前記第１母線との間に設けられた第１スイッチと、
前記第２変圧器における前記２次側の一端と前記２次側の他端との間に設けられた第２スイッチと、
を備え、
前記制御装置は、
前記第１および第２スイッチの状態を制御する制御部と、
前記第１変圧器の２次側に設けられている前記第２母線を接地する配線が取り外された状態において、前記第１スイッチがオフし、前記第２スイッチがオンの状態の前記零相電流の第１電流値および前記第１母線の第１電圧値と、前記第１スイッチがオンし、前記第２スイッチがオフの状態の前記零相電流の第２電流値および前記第１母線の第２電圧値と、を取得する取得部と、
前記取得部が取得した取得結果に基づいて、前記第２母線の対地間の抵抗に所定の電圧が印加された際の前記対地間の抵抗に流れる電流を算出する算出部と、
を含むことを特徴とする絶縁診断システム。
【請求項７】
第１変圧器の２次側に接続される電源側の第１母線と、前記第１変圧器の２次側に接続される接地側の第２母線とを含む交流回路の前記第１及び第２母線の零相電流を測定する零相変流器の測定結果が入力されるコンピュータと、
１次側の一端および２次側の一端が前記第２母線に接続され、前記２次側の他端が接地された第２変圧器と、
前記第２変圧器における前記１次側の他端と前記第１母線との間に設けられた第１スイッチと、
前記第２変圧器における前記２次側の一端と前記２次側の他端との間に設けられた第２スイッチと、
を備える絶縁診断装置の前記コンピュータに、
前記第１および第２スイッチの状態を制御する機能と、
前記第１変圧器の２次側に設けられている前記第２母線を接地する配線が取り外された状態において、前記第１スイッチがオフし、前記第２スイッチがオンの状態の前記零相電流の第１電流値および前記第１母線の第１電圧値と、前記第１スイッチがオンし、前記第２スイッチがオフの状態の前記零相電流の第２電流値および前記第１母線の第２電圧値と、を取得する機能と、
前記第１及び第２電流値と、前記第１及び第２電圧値とに基づいて、前記第２母線の対地間の抵抗に所定の電圧が印加された際の前記対地間の抵抗に流れる電流を算出する機能と、
を実現させるプログラム。
【発明の詳細な説明】
【技術分野】
【０００１】
本発明は、絶縁診断装置、絶縁診断システム、及びプログラムに関する。
【背景技術】
【０００２】
変圧器の２次側の交流回路においては、変圧器の２次側の対地電圧が高くなることを防ぐために、一般に、交流回路の所定の母線は接地される（例えば、特許文献１参照）。
【先行技術文献】
【特許文献】
【０００３】
【特許文献１】特開２００７−２８８１３号公報
【発明の概要】
【発明が解決しようとする課題】
【０００４】
ところで、交流回路の母線のうち、接地されていない母線に地絡事故が発生し、接地されていない母線の対地間の抵抗値が小さくなった場合、漏電遮断器等で地絡事故（絶縁抵抗の低下）を検出することは可能である。しかしながら、接地されている母線の対地間の抵抗は小さいため対地電圧は低く、漏電遮断器等で接地側の母線の地絡事故を検出することは難しい。そこで、従来では、系統の一部を停電させ、交流回路の動作を停止させた状態で、交流回路の接地側の母線の絶縁不良等が検査されていた。
【０００５】
本発明は上記課題を鑑みてなされたものであり、交流回路が動作した状態で接地側の母線の絶縁状態を診断することができる絶縁診断装置を提供する。
【課題を解決するための手段】
【０００６】
上記目的を達成するため、本発明の一つの側面に係る絶縁診断装置は、第１変圧器の２次側に接続される電源側の第１母線と、前記第１変圧器の２次側に接続される接地側の第２母線とを含む交流回路の前記第１母線及び前記第２母線の零相電流を測定する零相変流器の測定結果が入力される制御装置と、１次側の一端および２次側の一端が前記第２母線に接続され、前記２次側の他端が接地された第２変圧器と、前記第２変圧器における前記１次側の他端と前記第１母線との間に設けられた第１スイッチと、前記第２変圧器における前記２次側の一端と前記２次側の他端との間に設けられた第２スイッチと、を備え、前記制御装置は、前記第１および第２スイッチの状態を制御する制御部と、前記第１変圧器の２次側に設けられている前記第２母線を接地する配線が取り外された状態において、前記第１スイッチがオフし、前記第２スイッチがオンの状態の前記零相電流の第１電流値および前記第１母線の第１電圧値と、前記第１スイッチがオンし、前記第２スイッチがオフの状態の前記零相電流の第２電流値および前記第１母線の第２電圧値と、を取得する取得部と、前記取得部が取得した取得結果に基づいて、前記第２母線の対地間の抵抗に所定の電圧が印加された際の前記対地間の抵抗に流れる電流を算出する算出部と、を含む。
【発明の効果】
【０００７】
交流回路が動作した状態で接地側の母線の絶縁状態を診断することができる絶縁診断装置を提供する。
【図面の簡単な説明】
【０００８】
【図１】本発明の一実施形態である絶縁診断システム３０が設けられた交流回路１０の概要を示す図である。
【図２】マイコン７２に実現される機能ブロックの一例を示す図である。
【図３】絶縁診断処理が実行される際の変圧器５０のスイッチＳ１，Ｓ２の状態を説明するための図である。
【図４】絶縁診断処理が実行される際の変圧器５０のスイッチＳ１，Ｓ２の状態を説明するための図である。
【図５】交流回路１０の中性極に地絡が発生している場合の一例を示す図である。
【図６】絶縁診断処理の一例を示すフローチャートである。
【発明を実施するための形態】
【０００９】
本明細書および添付図面の記載により、少なくとも以下の事項が明らかとなる。
【００１０】
図１は、本発明の一実施形態である絶縁診断システム３０が設けられた交流回路１０の概要を示す図である。  
交流回路１０は、高圧（配電線）からの電圧を降圧する単相三線式の回路であり、変圧器２０、遮断器２１〜２３、母線２５〜２７、及び配線２８を含んで構成される。
【００１１】
変圧器２０は、１次側に印加される高圧からの電圧を降圧し、２次側に出力する変圧器である。変圧器２０の二次側の端子Ａ１，Ａ２の間と、端子Ａ２，Ａ３の間には、例えば、互いに逆相となる１１０Ｖ（実効値）の交流電圧が出力される。
【００１２】
母線２５，２６は、遮断器２１，２３を介して端子Ａ１，Ａ３に接続される電源側の母線である。母線２７は、遮断器２２を介して端子Ａ２（中性点）に接続される接地側の母線である。ここでは、交流回路１０の対地電圧が高くなりすぎないよう、端子Ａ２は配線２８を介して接地されている。なお、詳細は後述するが、交流回路１０に絶縁診断装置４１が設けられ、各母線に絶縁診断装置４１が接続された際には、配線２８は取り外される。また、母線２５，２６の間と、母線２５，２７の間には、図示しない継電器等の各種機器が負荷として接続されている。なお、交流回路１０は、母線２５及び母線２７で構成される回路と、母線２６及び母線２７で構成される回路とが含まれるが、以下本実施形態では、便宜上、母線２５及び母線２７で構成される交流回路を中心に説明する。
【００１３】
絶縁診断システム３０は、交流回路１０の接地側の母線２７の絶縁状態を診断する装置であり、零相変流器４０及び絶縁診断装置４１を含んで構成される。
【００１４】
零相変流器４０は、母線２５，２７の２本の母線をクランプすることにより、母線２５，２７からグランドへと流れる電流Ｉｘ（漏れ電流）を測定する変流器である。
【００１５】
絶縁診断装置４１は、零相変流器４０の測定結果に基づいて、接地側の母線２７の絶縁状態を診断する装置であり、変圧器５０、制御装置５１、及びスイッチＳ１，Ｓ２を含んで構成される。
【００１６】
変圧器５０は、接地側の母線２７に所定の電圧を印加するための変圧器であり、１次側には端子Ｎ１，Ｎ２が設けられ、２次側には端子Ｎ３，Ｎ４が設けられている。  
変圧器５０において、１次側の端子Ｎ１（一端）と、２次側の端子Ｎ３（一端）とは、ともに接地側の母線２７に接続されている。また、変圧器５０は、１次側の端子間に、１１０Ｖの交流電圧が発生した場合、２次側の端子間に４０Ｖの交流電圧が発生するよう、１次側と２次側の巻き数が定められている。なお、１１０Ｖ，４０Ｖはともに実効値である。
【００１７】
スイッチＳ１（第１スイッチ）は、変圧器５０の１次側の端子Ｎ２（他端）を、母線２５〜２７の何れかに接続させるか、オープン状態とするためのスイッチである。  
スイッチＳ２（第２スイッチ）は、変圧器５０の２次側の端子Ｎ３，Ｎ４の間をショート状態、またはオープン状態とするためのスイッチである。
【００１８】
制御装置５１は、スイッチＳ１，Ｓ２の状態を制御するとともに、接地側の母線２７からグランドへと流れる電流Ｉ１を計算する。制御装置５１は、ＡＤコンバータ７０、記憶装置７１、マイコン７２、表示装置７３、および警報装置７４を含んで構成される。
【００１９】
ＡＤコンバータ７０は、零相変流器４０の測定結果や、母線２５，２６の電圧をデジタル化し、マイコン７２に出力する。  
記憶装置７１は、マイコン７２が実行するプログラムや、測定データ等を記憶する。  
マイコン７２は、記憶装置７１に格納されたプログラムを実行することにより、各種機能を実現し、制御装置５１を統括制御する。  
表示装置７３は、マイコン７２で実行される処理の結果や各種情報を表示し、警報装置７４は、接地側の母線２７からの漏れ電流が所定より大きい場合、警報（例えば、アラーム）を鳴らす。
【００２０】
＜＜マイコン７２の機能ブロックについて＞＞
図２は、マイコン７２に実行される機能ブロックの一例を示す図である。マイコン７２には、制御部８０、取得部８１、算出部８２、判定部８３、警報出力部８４、および表示部８５が実現される。
【００２１】
制御部８０は、スイッチＳ１，Ｓ２の状態を制御する。具体的には、制御部８０は、図３に示すように、変圧器５０の１次側の端子Ｎ２が端子Ｎ１とショートするようスイッチＳ１を切り換え、変圧器５０の２次側の端子Ｎ３が端子Ｎ４とショートするようスイッチＳ２をオンする。また、制御部８０は、図４に示すように、変圧器５０の１次側の端子Ｎ２が電源側の母線２５に接続されるようスイッチＳ１を切り換え、変圧器５０の２次側の端子Ｎ３，Ｎ４の間がオープン状態となるようスイッチＳ２をオフする。なお、以下、図３に示したスイッチＳ１，Ｓ２の状態を状態１とし、図４に示したスイッチＳ１，Ｓ２の状態を状態２とする。
【００２２】
取得部８１は、スイッチＳ１，Ｓ２の状態が、状態１の際の零相変流器４０で測定された電流Ｉｘ１と、母線２５の電圧Ｖｘ１とを取得する。さらに取得部８１は、スイッチＳ１，Ｓ２の状態が、状態２の際の零相変流器４０で測定された電流Ｉｘ２と、母線２５の電圧Ｖｘ２とを取得する。
【００２３】
算出部８２は、電流Ｉｘ１，Ｉｘ２、電圧Ｖｘ１，Ｖｘ２を用いて、接地側の母線２７に所定電圧（例えば、１１０Ｖ）が印加された場合に、母線２７からグランドへと流れる電流Ｉ１を算出する。そして算出部８２は、電流Ｉ１を算出する毎に、算出した電流Ｉ１と、算出された時刻を示す情報とを、記憶装置７１に格納する。
【００２４】
なお、以下、母線２５に接続された絶縁抵抗Ｒ１を１．１ＭΩ、母線２７に接続された絶縁抵抗Ｒ２、地絡抵抗Ｒｇのそれぞれを１．１ＭΩ、０．１ＭΩとして説明する。また、ここでは、予め変圧器２０の端子Ａ２に接続されていた配線２８は、作業者等により取り外されている。このような場合であっても、交流回路１０は、変圧器５０の２次側の端子Ｎ４を介して接地されているため、交流回路１０に高い対地電圧が発生することはない。
【００２５】
まず、図３に示すスイッチＳ１，Ｓ２が状態１の場合、変圧器５０の１次側及び２次側はショートされているため、変圧器５０は入力される電圧を変圧することはない。そして、母線２７は、オンされたスイッチＳ２を介して接地されているため、母線２７の電圧は０Ｖとなる。一方、母線２５，２７の間に発生する交流電圧は１１０Ｖ（実効値）であるため、母線２５の電圧も１１０Ｖ（実効値）となる。したがって、この場合、零相変流器４０で測定される電流Ｉｘ１は、母線２５の絶縁抵抗Ｒ１からグランドに流れる電流のみとなる。つまり、電流Ｉｘ１は、
Ｉｘ１＝１１０Ｖ／（１．１ＭΩ）＝０．１ｍＡ・・・（１）
となる。なお、この際の母線２５の電圧Ｖｘ１＝１１０Ｖとなる。
【００２６】
つぎに、図４に示すスイッチＳ１，Ｓ２が状態２の場合、変圧器５０の１次側の端子Ｎ２は母線２５に接続され、２次側の端子Ｎ３，Ｎ４の間は開放される。この場合、変圧器５０の１次側に発生する電圧は、母線２５，２７の間に発生する１１０Ｖと等しくなるため、変圧器５０の２次側に発生する電圧は前述のように４０Ｖとなる。また、変圧器５０の端子Ｎ４は接地されていることから、接地側の母線２７の電圧は４０Ｖとなり、電源側の母線２５の電圧は１５０Ｖ（＝４０Ｖ＋１１０Ｖ）となる。
【００２７】
したがって、電流Ｉｘ２は、母線２５の絶縁抵抗Ｒ１からグランドに流れる電流と、母線２７の絶縁抵抗Ｒ２及び地絡抵抗Ｒｇからグランドに流れる電流との和になる。つまり、電流Ｉｘ２は、
Ｉｘ２＝１５０Ｖ／（１．１ＭΩ）＋４０Ｖ／（１．１ＭΩ／／０．１ＭΩ）
＝０．５７２８ｍＡ・・・（２）
となる。なお、１．１ＭΩ／／０．１ＭΩは、抵抗Ｒ２，Ｒｇの並列抵抗（対地間の抵抗）の値である。また、電圧Ｖｘ２は、１５０Ｖとなる。
【００２８】
このように、算出部８２は、図３、４のそれぞれにおける電流Ｉｘ１，Ｉｘ２を取得する。そして、算出部８２は、電流Ｉｘ１（第１電流値），Ｉｘ２（第２電流値）と、電圧Ｖｘ１（第１電圧値），Ｖｘ２（第２電圧値）とに基づいて、母線２７に所定電圧（１１０Ｖ）が印加された際の、母線２７からグランドへと流れる電流Ｉ１を算出する。
【００２９】
まず、算出部８２は、図４の状態において、母線２７からグランドへと流れる電流ＩＡを算出する。具体的には、式（３）に示すように、図４の状態で絶縁抵抗Ｒ１に流れる電流を電流Ｉｘ１から計算し、電流Ｉｘ２から減算する。  
ＩＡ＝Ｉｘ２−Ｉｘ１×（Ｖｘ２／Ｖｘ１）・・・（３）
＝０．５７２８−０．１×（１５０／１１０）≒０．４３６４ｍＡ
【００３０】
なお、電流ＩＡは、図４の状態で母線２７からグランドへと流れる電流ＩＡである。そして、算出部８２は、電流ＩＡに基づいて、母線２７に電圧１１０Ｖが印加されている場合の電流Ｉ１を算出する。  
Ｉ１＝ＩＡ×（Ｖｘ１／（Ｖｘ２−Ｖｘ１））・・・（４）
＝０．４３６４×（１１０／４０）≒１．２ｍＡ
【００３１】
つまり、母線２７に地絡事故が発生し、地絡抵抗Ｒｇが接続される状態において、仮に母線２７に高い電圧（１１０Ｖ）が印加されると、式（４）に示すように大きな電流Ｉ１が流れることとなる。このような電流Ｉ１は、例えば、図５に示すような箇所（中性極）に地絡事故が発生することにより流れる可能性がある。
【００３２】
図５は、ノードＰ１，Ｐ２に地絡が発生した状態を示す図である。ここでは、絶縁診断装置４１等は取り外されているため、母線２７は配線２８を介して接地されている。なお、ノードＰ１，Ｐ２のそれぞれには、等価的に抵抗値０．１ＭΩの地絡抵抗Ｒｇａ，Ｒｇｂが接続されていることとする。また、母線２５，２７の間には、直列に接続された継電器１００およびスイッチ１１０が接続されている。このため、例えば、接地側の母線２７に地絡事故が発生している状態となる。そして、スイッチ１１０が投入されると（オンとなると）、ノードＰ１には１１０Ｖが印加されるため、交流回路１０には、約１．０ｍＡの漏れ電流（零相電流）が流れる。
【００３３】
また、母線２５，２７の間には、直列接続された継電器１０１およびスイッチ１１１，１１２が接続されている。このため、例えば、スイッチ１１１がオンしている状態では、接地側の母線２７に地絡事故が発生している状態となる。そして、スイッチ１１２が投入されると、ノードＰ２には１１０Ｖが印加されるため、交流回路１０には、約１．０ｍＡの漏れ電流が流れる。なお、ノードＰ１，Ｐ２（ノードＰ２の場合はスイッチ１１１またはスイッチ１１２が動作している状態）に地絡が発生している交流回路１０に、絶縁診断システム３０が接続され、電流Ｉ１が計算されると、式（４）で示した電流Ｉ１が求められる。
【００３４】
図２の判定部８３は、算出部８２で算出された電流Ｉ１の電流値が所定値ＩＡＬ（例えば、０．５ｍＡ）より大きいか否かを判定する。
【００３５】
警報出力部８４は、電流Ｉ１の値が所定値ＩＡＬよりも大きい場合には、警報装置７４に警報（例えば、アラーム）を出力させる。
【００３６】
表示部８５は、電流Ｉ１の値が所定値ＩＡＬよりも大きい場合には、警報表示を表示装置７３に表示させる。また、表示部８５は、警報表示を表示装置７３にさせない場合であっても、母線２７の絶縁抵抗が低下している兆候があることを示す注意表示を表示装置７３に表示させる。具体的には、表示部８５は、算出された電流Ｉ１の電流値が、連続してｎ回（例えば、１０回）以上増加した場合、つまり、前回算出された電流Ｉ１と、今回算出された電流Ｉ１とを比較し、今回算出された電流Ｉ１がｎ回以上して大きい場合、注意表示を表示させる。
【００３７】
＝＝絶縁診断処理の一例＝＝
図６は、母線２７の絶縁診断をする際にマイコン７２で実行される処理の一例を示すフローチャートである。なお、ここでは、図１に示す交流回路１０において、配線２８が取り外され、零相変流器４０および絶縁診断装置４１が交流回路１０に取り付けられていることとする。また、交流回路１０に設置された絶縁診断装置４１は、例えば、定期的（例えば、所定の日数毎）に絶縁診断処理を実行する。
【００３８】
まず、作業者等の指示により、絶縁診断装置４１が診断処理を開始すると、制御部８０は、スイッチＳ１，Ｓ２を第１状態（図３の状態）にする（Ｓ１００）。そして、取得部８１は、スイッチＳ１，Ｓ２が状態１の際の電流Ｉｘ１、電圧Ｖｘ１を取得する（Ｓ１０１）。電流Ｉｘ１等が取得されると、制御部８０は、スイッチＳ１，Ｓ２の状態を第２状態（図４の状態）に変化させる（Ｓ１０２）。スイッチＳ１，Ｓ２の状態が変化すると、取得部８１は、電流Ｉｘ２、電圧Ｖｘ２を取得する（Ｓ１０３）。また、算出部８２は、式（３）、（４）を演算することにより、母線２７に電圧１１０Ｖが印加されている際の漏れ電流、つまり、母線２７からグランドへと流れる電流Ｉ１を算出する（Ｓ１０４）。
【００３９】
判定部８３は、算出された電流Ｉ１の電流値が所定値ＩＡＬより大きいか否かを判定する（Ｓ１０５）。電流Ｉ１の電流値が所定値ＩＡＬより大きい場合（Ｓ１０５：ＹＥＳ）、警報出力部８４は、警報装置７４に警報を出力させる（Ｓ１０６）。一方、電流Ｉ１の電流値が所定値ＩＡＬより小さい場合（Ｓ１０５：ＮＯ）、算出部８２は、算出した電流Ｉ１と、算出された時刻を示す情報とを、記憶装置７１に記憶させる（Ｓ１０７）。さらに、表示部８５は、算出された電流Ｉ１の電流値が、連続してｎ回（例えば、１０回）以上増加した場合したかを判定する（Ｓ１０８）。そして、電流Ｉ１が連続してｎ回以上増加した場合、（Ｓ１０８：ＹＥＳ）、表示部８５は、表示装置７３（例えば、パネル）に、注意表示を表示させる（Ｓ１０９）。一方、電流Ｉ１が連続してｎ回以上増加していない場合、（Ｓ１０８：ＮＯ）、絶縁診断処理は終了される。
【００４０】
以上、本発明の一実施形態である絶縁診断システム３０について説明した。絶縁診断装置４１は、交流回路１０が動作中において、接地側の母線２７に所定電圧が印加された際の母線２７からグランドへと流れる電流Ｉ１（漏れ電流）を算出することができる。つまり、絶縁診断装置４１は、交流回路１０が運転中であっても、接地側の母線２７の絶縁状態を診断することができる。このため、交流回路１０が設けられた系統に不要な停電を発生させることを防ぐことができる。このため、従来では絶縁状態の診断が難しい中性極（図５に示したノードＰ１，Ｐ２）に発生する地絡の有無も検出することが可能となる。
【００４１】
また、警報装置７４は、電流Ｉ１の電流値が所定値ＩＡＬより大きい場合、つまり、接地側の母線２７の絶縁が悪化している場合、警報を出力する。このため、利用者は直ちに交流回路１０に地絡事故等が発生したことを把握することができる。
【００４２】
また、記憶装置７１には、電流Ｉ１と時刻に関する情報が逐次記憶される。このため、利用者は、これらの情報に基づいて、接地側の母線２７の絶縁状態の時間変化（傾向）や気象条件との相関を把握することができる。
【００４３】
また、算出された電流Ｉ１の値が、連続してｎ回以上増加した場合、つまり、徐々に電流Ｉ１の値が増えた場合、表示装置７３には注意表示が表示される。このため、利用者は、絶縁状態が悪化していることを把握することができる。
【００４４】
本実施形態では、母線２５，２７をクランプするよう零相変流器４０が設けられたが、例えば、母線２６，２７にも同様の零相変流器が設けられていても良い。この場合には、絶縁診断装置４０が母線２６の電圧を取得することにより、母線２６，２７で構成される交流回路の絶縁診断をすることが可能となる。また、本実施形態の交流回路１０は、単相三線式の回路であることとしたが、これに限られない。例えば、単相二線式の回路や、三相三線式の回路であっても良い。
【００４５】
また、絶縁診断システム３０を交流回路１０に用いるためには、交流回路１０における変圧器２０の２次側の接地線、つまり端子Ａ２を接地するための配線２８のみを外せばよい。したがって、既設の一般的な交流回路に対して絶縁診断システム３０を用いることができる。
【００４６】
また、本実施形態では、変圧器５０の２次側の端子Ｎ４が常に接地されている。このため、交流回路１０に高い対地電圧が発生することはない。さらに、変圧器５０の２次側の電圧は、４０Ｖとなるように変圧器５０の巻き数比が調整されている。このため、所定の電気技術基準で定められた１５０Ｖ以下で交流回路１０を診断することができる。
【００４７】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００４８】
本実施形態では、電圧Ｖｘ１，Ｖｘ２は測定され、取得されることとしたがこれに限られない。電圧Ｖｘ１は、変圧器２０の２次側の端子Ａ１，Ａ２に発生する電圧であり、電圧Ｖｘ２は、変圧器５０の巻き数比によって定まる。したがって、状態１、状態２のそれぞれの状態の母線２５の電圧を予め記憶装置７１に格納し、取得部８１に取得させても良い。ただし、実際に母線２５の電圧を測定した結果を取得部８１に測定させた場合の方が、より精度良く電流Ｉ１を計算できる。
【００４９】
また、図６の処理では、交流回路１０に絶縁診断システム３０を常設し、定期的に絶縁診断を実行させることとしたが、これに限られない。例えば、絶縁診断システム３０を設置したときのみ、絶縁診断を実行させても良い。
【００５０】
また、変圧器５０としては、１次側の端子Ｎ１と２次側の端子Ｎ３とがショートされている単相複巻変圧器が用いられているが、単相単巻変圧器等を用いても良い。
【符号の説明】
【００５１】
１０  交流回路
２０，５０  変圧器
２１〜２３  遮断器
２５〜２７  母線
２８  配線
３０  絶縁診断システム
４０  零相変流器
４１  絶縁診断装置
５１  制御装置
７０  ＡＤコンバータ（ＡＤＣ）
７１  記憶装置
７２  マイコン
７３  表示装置
７４  警報装置
８０  制御部
８１  取得部
８２  算出部
８３  判定部
８４  警報出力部
８５  表示部
Ｓ１，Ｓ２  スイッチ
【図１】
0005642737.tif 000002
【図２】
0005642737.tif 000003
【図３】
0005642737.tif 000004
【図４】
0005642737.tif 000005
【図５】
0005642737.tif 000006
【図６】
0005642737.tif 000007